(57)【要約】【課題】２分割化粧柱の外周に段差を発生させず取り付け作業が容易な化粧柱の固定構造を提供する。【解決手段】２分割柱体は空洞部を挟んだ両側部に取り付け金具と係合する凹部を各々備え、取り付け金具は２分割柱体の各凹部と係合する凸部と２分割柱体の一方の側部を構造柱側から外側方向に押圧する弾性体とを備え、更に構造柱９１の外周面と２分割柱体における弾性体に押圧される側面２２に対向する側部の内周側面２１との間隔が所定値以下にならないようにする間隔保持部１１０とを備える。【選択図】図４
2010196288.tif 000002
【特許請求の範囲】
【請求項１】
建造物に用いられて内部に空洞部を有する化粧柱を２等分割した２分割柱体を、取り付け金具を用いて建造物の構造柱を挟んで取り付ける固定構造であって、
前記２分割柱体は、
前記空洞部を挟んだ両側部に前記取り付け金具と係合する凹部を各々備え、
前記取り付け金具は、
前記２分割柱体の各凹部と係合する凸部と、
前記２分割柱体の一方の側部を前記構造柱側から外側方向に押圧する弾性体と
を備え、更に、
前記構造柱の外周面と前記２分割柱体における前記弾性体に押圧される側面に対向する側部の内周側面との間隔が所定値以下にならないようにする間隔保持部と
を備える
ことを特徴とする化粧柱の固定構造。
【請求項２】
前記間隔保持部は、前記所定値が前記構造柱の両側外周面と前記２分割柱体の内周の両側面との間隔の和の略１／２になるように形成される
ことを特徴とする請求項１に記載の化粧柱の固定構造。
【請求項３】
前記弾性体は、前記取り付け金具上に設けられる
ことを特徴とする請求項１又は２に記載の化粧柱の固定構造。
【請求項４】
前記間隔保持部は、内周側形状が前記構造柱の外周形状と同様で、前記化粧柱の上端又は下端の少なくとも一方と前記建造物との隙間に配置される固定プレート上に設けられる
ことを特徴とする請求項１乃至３の何れか１項に記載の化粧柱の固定構造。
【請求項５】
前記固定プレートは、外周側形状が前記化粧柱を２等分割した断面における外周形状と同様に形成される
ことを特徴とする請求項４に記載の化粧柱の固定構造。
【発明の詳細な説明】
【技術分野】
【０００１】
本発明は、建造物に用いられる化粧柱の固定構造に関し、特に、内部に空洞部を有して２分割された化粧柱を、建造物の構造柱に取り付け金具を用いて取り付ける固定構造に関する。
【背景技術】
【０００２】
従来の２分割された化粧柱は、建造物の構造柱に、長い寸法のドリルビス又はタッピングネジ等を用いて固定されていた。しかし、この方法は、化粧柱に穴をあけるため外観性を大きく低下させることから、構造柱に取り付け金具を固定し、さらにその取り付け金具に２分割された化粧柱を固定する方法が用いられるようになった。
【０００３】
例えば、予め２分割された化粧柱の各々の内側に取り付け金具を接着等により取り付けておく。一方、構造柱の周囲にも取り付け金具を取り付けておく。そして、まず、２分割化粧柱の一方の取り付け金具を構造柱側の取り付け金具にネジでビス止めする。その後、残りの２分割化粧柱の取り付け金具を先に固定された分割部の取り付け金具にビス止めする方法が知られている。（例えば、特許文献１参照）。
【０００４】
また、例えば、予め２分割化粧柱の各々の内側に突出する突起部を設けておく。一方、構造柱の周囲に取り付けられる取り付け金具には、化粧柱側の突起部が嵌め込まれる取り付け部を設けておく。取り付け部は弾性的に突起部を保持することができ、化粧柱の突起部を取り付け金具側の取り付け部に挿入して取り付ける方法が知られている。（例えば、特許文献２参照）。
【先行技術文献】
【特許文献】
【０００５】
【特許文献１】特開平５−２４８０５８号公報
【特許文献２】特開２０００−１６０８０８号公報
【発明の概要】
【発明が解決しようとする課題】
【０００６】
しかしながら、特許文献１の方法のように、金具を化粧柱の内側に接着等により取り付けることは技術的に困難であり、ネジ等でビス止めすることも化粧柱の材質の強度等により困難であった。また、構造柱側に取り付けられた金具のビス穴と、重量物である２分割化粧柱の内側に取り付けられた金具のビス穴とを、２分割化粧柱の重量を支えながら位置合わせしてビス止めする作業も、１人又は２人等の少人数では困難であった。さらに、一方の２分割化粧柱を構造柱側の金具に固定した後に、やはり重量物である他方の２分割化粧柱の金具のビス穴を、すでに固定された２分割化粧柱の金具のビス穴とを、重量を支えながら位置合わせしてビス止めすることも少人数では困難であった。また、この方法はビス止め等の工数が多く、取り付けや取り外しに時間が多く必要であった。
【０００７】
また、上記した特許文献１の方法における「少人数で重量物である２分割化粧柱を取り付け金具に固定する作業は容易ではないこと」を改善するために、取り付け金具への固定範囲を広げ、取り付け自由度を高める方法が考えられる。しかし、取り付け自由度を高めると、２分割化粧柱の外周が面一になり、両２分割化粧柱間の対向部分に段差が発生しないように、各々の対向面を位置合わせしながら取り付け金具に固定する必要がある。
【０００８】
また、特許文献２の弾性的に突起部を保持する方法は、重量物である化粧柱を金具の弾性のみで仮に固定するものであり、恒久的に固定するものではない。恒久的に固定するには、建築材用の接着剤、又は、従来のドリルビス等を用いたビス止め等を用いて固定する必要があった。しかし、接着剤を用いた場合には、やり直しができず、後で取り外しをすることはできない。又、タッピングネジ等を用いると、構造柱に穴をあけるため外観性を大きく低下させる可能性があった。また、取り付け部に弾性的に突起部を保持させる場合、取り付け金具へ取り付け部を固定する精度を高くできない場合や、取り付け部の各押圧方向への弾性の応力にばらつきがある場合等には、両２分割化粧柱間の対向部分に段差が発生する場合があった。
【０００９】
そこで本発明は、上記の課題を解決するために、２分割化粧柱の設置時に外周に段差を発生させない正確な位置合わせを可能にするとともに、取り付け作業が少人数でも容易であり、外周の段差を抑制することで美観を改善した化粧柱の固定構造を提供することを目的とする。
【課題を解決するための手段】
【００１０】
上記課題を解決するために、本発明の請求項１に係る化粧柱の固定構造は、建造物に用いられて内部に空洞部を有する化粧柱を２等分割した２分割柱体を、取り付け金具を用いて建造物の構造柱を挟んで取り付ける固定構造であって、２分割柱体は、空洞部を挟んだ両側部に取り付け金具と係合する凹部を各々備え、取り付け金具は、２分割柱体の各凹部と係合する凸部を備え、更に、２分割柱体の一方の側部を構造柱側から外側方向に押圧する弾性体と、構造柱の外周面と２分割柱体における弾性体に押圧される側面に対向する側部の内周側面との間隔が所定値以下にならないようにする間隔保持部とを備えることを特徴とする。
【００１１】
請求項１の本発明によれば、弾性体と間隔保持部が、構造柱における対向する面の外側に配置され、弾性体により２分割柱体の一方の側部を外側へ押す応力と、間隔保持部により２分割柱体の他方の側部の間隔を所定値以下にしないことにより、他方の側部の内周側面と構造柱の外周面との間隔を所定値にすることができる。その場合、構造柱の外周面と一方の側部の内周側面との間隔は、２分割柱体の各側部と構造柱の両側との間隔の和から、他方側の間隔保持部で確保された所定値を引いた残りである。従って、間隔保持部の所定値と、両側間隔の和から所定値を引いた残りとを極力同じ値になるように近づけることで、２分割柱体を構造柱を挟んで取り付けた場合の外周面の段差を所定範囲内に抑制することができる。
【００１２】
好ましくは、請求項２に係る本発明のように、間隔保持部は、所定値が構造柱の両側外周面と２分割柱体の内周の両側面との間隔の和の略１／２になるように形成されるようにしてもよい。
本実施態様では、間隔保持部の所定値を、２分割柱体の各側部と構造柱の両側間隔の和の略１／２にすることで、他方側の間隔保持部で確保された所定値を引いた残りも、構造柱の両側間隔の和の略１／２にすることができ、両側間隔が同じになる。従って、間隔保持部により、２分割柱体を構造柱を挟んで取り付けた場合の外周面の段差を無くすことができる。
【００１３】
好ましくは、請求項３に係る本発明のように、弾性体は、取り付け金具上に設けられるようにしてもよい。
本実施態様では、弾性体を取り付け金具上に設けることで、弾性体の挿入を容易にして、２分割柱体の取付工数を減らすことができる。
【００１４】
好ましくは、請求項４に係る本発明のように、前記間隔保持部は、内周側形状が構造柱の外周形状と同様で、前記化粧柱の上端又は下端の少なくとも一方と建造物との隙間に配置される固定プレート上に設けられるようにしてもよい。
本実施態様では、間隔保持部は、構造柱における弾性体が配置される面と対向する面の外側と、２分割柱体の内周側面との間に配置される。一方、固定プレートは、化粧柱の上端又は下端の少なくとも一方に、両２分割柱体に半分ずつまたがり、正方形断面を有する構造柱にガイドされて挿入される。従って、間隔保持部を、構造柱にガイドされる固定プレート上に設けることで、間隔保持部の位置決めが容易になる。その結果、２分割柱体の取付工数を減らすことができる。
【００１５】
好ましくは、請求項５に係る本発明のように、固定プレートは、外周側形状が化粧柱を２等分割した断面における外周形状と同様に形成されるようにしてもよい。
本実施態様では、化粧柱の上下と建造物との間に隙間ができないようにすることができ、外観上の美観を向上させることができる。
【発明の効果】
【００１６】
本発明の化粧柱の固定構造によれば、２分割化粧柱の設置時に外周に段差を発生させない正確な位置合わせを含む取り付け作業が少人数でも容易であり、外周の段差を抑制することで美観を改善した化粧柱の固定構造を提供できる。
【図面の簡単な説明】
【００１７】
【図１】（ａ）は化粧柱の一例として家屋の玄関ポーチ柱に化粧柱を設けた場合を示す斜視図であり、（ｂ）は本発明の第１実施形態の化粧柱の縦断面図と横断面図である。
【図２】図１（ｂ）の化粧柱及び取り付け金具の横断面図の拡大図である。
【図３】（ａ）〜（ｇ）は本発明の固定プレートが用いられる化粧柱の組み立て方法を順に示した上面図である。
【図４】本発明の固定プレートの上面図及び側面図を図２の化粧柱に取付前の状態の横断面図と共に示した図である。
【図５】図４の固定プレートの上面図を図２の化粧柱に取付後の状態の横断面図と共に示した図である。
【図６】本発明の第２実施形態の化粧柱の横断面図及びそれに関係する取り付け金具の側面図と副取り付け金具の三面図である。
【発明を実施するための形態】
【００１８】
以下、本発明の化粧柱の固定構造の実施の形態について、以下に図面を用いながら詳細に説明する。
【００１９】
＜第１実施形態＞
図１（ａ）には、化粧柱の一例として、家屋の玄関ポーチ柱に化粧柱を設けた場合を示す斜視図である。図１（ｂ）は本発明の第１実施形態の固定プレートを含む化粧柱の縦断面図と化粧柱の横断面図である。図１（ｂ）では、上部の縦断面図のＡ−Ａ線の横断面図が下部に示され、その横断面図のＢ−Ｂ断面が上部の図となる。図２は、図１（ｂ）に示した化粧柱の横断面図の拡大図である。
【００２０】
化粧柱１は、建造物に用いられ、例えば、見た目の安定感を高め、又は、柱の見栄えを良くする等の理由から、実際に構造体の加重を支持する構造柱９１より大きい断面で内部に空洞部を有してその周囲に追加され、その外周面に装飾用の塗装等の化粧仕上げが施された柱である。尚、玄関ポーチとは、一般的に玄関扉前の庇（ひさし）の下で、アプローチ部分から数段程度の段差で高くなったスペースのことである。化粧柱１は、玄関ポーチの基礎部分の上部と、庇の下部部分を垂直に結んで設けられる。又、化粧柱１は、その他にベランダ等にも使用される場合がある。
【００２１】
２分割柱体１１は、上記したような住宅等の建造物に用いられる化粧柱１が縦に２等分割されたものであり、比重が０．７〜１．５程度のセメント系押出成形体からなる。以後、一方の２分割柱体１１を示す場合は２分割柱体１１ａと称し、他方の２分割柱体１１を示す場合は２分割柱体１１ｂと称する。当該２分割柱体１１の内部は建造物の構造柱９１を包含できるように空洞（空洞部９５）が形成されている。構造柱９１を挟んで対向して取り付けられる２分割柱体１１は、空洞部９５を挟んだ両側部１４／１５に取り付け金具３１と係合する凹部７１／７２を各々備えるように形成される。
【００２２】
第一対向面１２は、一方の側部１４の対向面であり、この対向面には凹部は形成されない。第一対向面１２の表面形状は、凸部４１に当接させることで２分割柱体１１を位置決めすることができるように、凸部４１の第１直線凸部４１ａにおける対応する側の面の表面形状に合わせて形成される。それに対して、第二対向面１３は、２分割柱体１１の空洞部９５を挟んだ他方の側部１５の対向面であり、この対向面には凹部７２が形成される。第二対向面１３の表面形状は、凸部４１に当接させることで２分割柱体１１を位置決めすることができるように、凸部４１の第１直線凸部４１ａにおける対応する側の面の表面形状に合わせて形成される。
【００２３】
第一対向面１２と第二対向面１３は、２分割柱体１１の縦割りされた分断面であり、１本の構造柱９１の周囲に配置される２個の２分割柱体１１は、各々の第一対向面１２と第二対向面１３が隙間を挟んで対向するように配置される。第一対向面１２と第二対向面１３との隙間は、通常、コーキング剤等が穴埋め用に充填されるか、乾式目地材で隠される。コーキング剤等は凝固する際に被接着面の接着作用を有しているので、接着剤とも考えられる。つまり、第一対向面１２と第二対向面１３の隙間は、接着剤により充填される。乾式目地材の場合は、化粧柱１の取り外し又は交換が容易である。
【００２４】
第一側部１４は、２分割柱体１１における空洞部９５を挟んだ一方の側部であり、内周側面に凹部７１を有する。第二側部１５は、２分割柱体１１における空洞部９５を挟んだ他方の側部であり、もう一つの２分割柱体１１との第二対向面１３に凹部７２を有する。
【００２５】
第一内周側面２１は、２分割柱体１１の空洞部９５を挟んだ一方の側部１４の内周側の側面であり、この内周側面には凹部７１が形成される。それに対して、第二内周側面２２は、２分割柱体１１の空洞部９５を挟んだ他方の側部１５の内周側の側面であり、この内周側面には凹部は形成されない。
【００２６】
取り付け金具３１は、建造物の構造柱９１を挟んで一カ所につき２個用いて、２分割柱体１１を構造柱９１に固定可能であるように形成されている。２個の取り付け金具３１は、建造物の構造柱９１を挟んで、固定用ネジ８１を固定用ネジ穴３２にねじ込むことで固定可能であるように同形状に形成され、構造柱９１の上下２カ所を含む複数箇所に固定用ネジ８１により取り付けられる。取り付け金具３１を設置する間隔は、構造柱９１の上下方向に、例えば、７００ｍｍ間隔程度で設けられる。
【００２７】
取り付け金具３１は、２分割柱体１１を位置決めすると共に、２分割柱体１１の凹部７２と係合する凸部４１、２分割柱体１１の凹部７１と係合する凸部５１、及び、２分割柱体１１の一方の側部１５の第二内周側面２２を外側方向に押圧する弾性体６１を有している。取り付け金具３１は、例えばアルミニウム等の押し出し成型により形成される。取り付け金具３１は、押し出し成型により形成することで、製造を容易にして製造コストを低減させることができ、２個の取り付け金具３１が同形状であるので、製造コストおよび部品点数を減少させることができる。なお、弾性力を必要とする凸部５１および弾性体６１については、ステンレス鋼板等により形成されるのが好ましく、アルミ押出成形体からなる基板部分や凸部４１とリベット８２、８３を用いて一体化される。
【００２８】
固定用ネジ穴３２は、構造柱９１を挟んで対向して取り付けられる２個の取り付け金具３１を、固定用ネジ８１で取り付けるための穴である。尚、固定用ネジ８１がドリルネジ又はタッピングネジ等のようにネジ穴を開けて溝を切りながら締め付けするタイプの場合は、予め固定用ネジ穴３２を設ける必要はなく、取り付け金具３１をネジ止めする時に形成される。又、固定用ネジ８１がネジ溝を切りながら締め付けするタイプでない場合には、予め固定用ネジ穴３２の内側にネジ溝を形成しておく。又、固定用ネジ８１としてボルトをナットと共に使用する場合には、予め固定用ネジ穴３２の内側にネジ溝を形成しておく必要はなはなく単なる円形の開口でよい。
【００２９】
凸部４１は、例えば２分割柱体１１と第二対向面１３で凹部７２に係合できる鉤型に形成される。より詳しくは、凸部４１は、構造柱９１から２分割柱体１１の凹部７２の入り口部までの間に配置される第１直線凸部４１ａと、第１直線凹部７２ａの内部に配置される第２直線凸部４１ｂと、第１直線凸部４１ａと第２直線凸部４１ｂとの間の第１折れ曲がり凸部４２と、第２直線凹部７２ｂの内部に配置される第３直線凸部４１ｃと、第２直線凸部４１ｂと第３直線凸部４１ｃとの間の第２折れ曲がり凸部４３を有する鉤型に形成される。
【００３０】
凸部４１は、取り付け金具３１の外側表面から突出して、第一対向面１２と第二対向面１３を位置決めする突起部である。凸部４１は、２個の２分割柱体１１の第一対向面１２及びと第二対向面１３の表面が第１直線凸部４１ａの両側面に当接されることで２分割柱体１１の対向方向の位置を決めることができる。２個の２分割柱体１１のすり合わせ方向の位置は、第２直線凸部４１ｂ及び第１直線凹部７２ａと、凸部５１と凹部７１とから決めることができる。
【００３１】
凸部５１は、例えば略直線形状で、第一内周側面２１の凹部７１に係合して第一対向面１２を、対向する２分割柱体１１の第二対向面１３側へ押圧する（垂直な）方向に弾性を有し、リベット８２により取り付け金具３１上に設けられる。又、凸部５１は、第一内周側面２１の凹部７２における第一対向面１２側に先端が当接することで、第一対向面１２側に押圧することで位置を決定する。凸部５１は、第一対向面１２の挿入方向に垂直な方向に弾性を有しているので、第一対向面１２が外れる方向に移動しないように位置決めと固定することができる。
【００３２】
弾性体６１は、例えば開口側が開いたヘアピン形状で、第二内周側面２２に接触し、その第二内周側面２２を外周側に垂直に押圧する方向に弾性を有し、リベット８３により取り付け金具３１上に設けられる。この弾性体６１は、取り付け金具３１上に設けられることで、弾性体６１を第二内周側面２２と取り付け金具３１と隙間に挿入することを容易にして、２分割柱体１１の取付工数を減らすことができる。
【００３３】
凹部７１は、弾性体６１により押圧される側と反対側の側部１４における内周側面２１に設けられる。本実施態様では、弾性体６１により押圧される側の側部１５の内周側面２２を弾性体６１で外側に押すことにより、弾性体６１により押圧されない側の側部１４の内周側面２１の凹部７１を略直線形状の凸部５１の先端部分とを係合させることにより２分割柱体１１を固定することができる。
【００３４】
側部１５の凹部７２は、側部１５における他方の２分割柱体１１との第二対向面１３に設けられる。凹部７２は、入り口部から直角に奥側に形成される第１直線凹部７２ａと、その第１直線凹部７２ａの奥側端部から内側の直角方向に形成される第２直線凹部７２ｂと、第１直線凹部７２ａと第２直線凹部７２ｂとの間の折れ曲がり凹部７３を有する鉤型に形成される。凹部７２を折れ曲がり凹部７３で１回折れ曲がった鉤型にし、鉤型の凸部４１に係合させることで、２分割柱体１１の金具３１への固定をより堅固にすることができる。
【００３５】
固定用ネジ８１は、２個の取り付け金具３１を、構造柱９１を挟んで各々取り付けるためのネジである。固定用ネジ８１は、ドリルネジ又はタッピングネジ等のようにネジ穴を開けて溝を切りながら締め付けするタイプ、ネジ溝を切りながら締め付けしない通常タイプ、ボルトとナットのタイプ等の様々なタイプを使用することができる。又、固定用ネジ穴３２は、上記したようにネジのタイプに合わせて形成される。
【００３６】
構造柱９１は、例えば、軽量鉄骨住宅の角柱、又は、木造住宅の角柱等であり、実際に住宅の屋根等の構造体の加重を支持するには十分な強度を有しており、又、比較的重量が重い２分割柱体１１を周囲に固定するための十分な強度を有している。
【００３７】
空洞部９５は、２分割柱体１１の内部側に形成される空洞であり、構造柱９１及び取り付け金具３１の主要部分等を収容する。
【００３８】
図３（ａ）〜（ｇ）は、図２の２分割柱体１１を構造柱９１に取り付ける手順を示す図である。
図３（ａ）では、構造柱９１の複数箇所（７００ｍｍ毎等の等間隔）に、構造柱９１を挟み込むようにして各箇所毎に２個の取り付け金具３１を、固定用ネジ８１を用いて固定し、２分割柱体１１ａを取り付け金具３１に近づける。
図３（ｂ）では、２分割柱体１１ａの側部１４を、先に、その第一対向面１２を凸部４１に接触させると共に、その内周側面２１を凸部５１に接触させた後、２分割柱体１１ａの側部１５を、弾性体６１を押圧しながら他方の凸部４１に接触させる。
【００３９】
図３（ｃ）では、弾性体６１の押圧を緩和させる方向に２分割柱体１１ａを摺動させて、側部１４における内周側面２１の凹部７１を凸部５１に係合させると共に、側部１５の凹部７２に凸部４１を係合させる。
図３（ｄ）では、２分割柱体１１ｂを、構造柱９１を挟んで２分割柱体１１ａの反対側から取り付け金具３１に近づける。
【００４０】
図３（ｅ）では、２分割柱体１１ｂの側部１４を、先に、その第一対向面１２を凸部４１に接触させると共に、その内周側面２１を凸部５１に接触させた後、２分割柱体１１ｂの側部１５を、弾性体６１を押圧しながら他方の凸部４１に接触させる。
図３（ｆ）では、弾性体６１の押圧を緩和させる方向に２分割柱体１１ｂを摺動させて、側部１４における内周側面２１の凹部７１を凸部５１に係合させると共に、側部１５の凹部７２に凸部４１を係合させる。
図３（ｇ）では、２分割柱体１１ａと２分割柱体１１ｂが構造柱９１を挟んで取り付け金具３１に取り付けられる。この場合の２分割柱体１１ａと２分割柱体１１ｂは、弾性体６１の押圧力で、凸部５１が凹部７１に突き当たった位置か、又は、凸部４１が凹部７２に突き当たった位置の何れか先に突き当たった位置に固定される。
【００４１】
以上のように本実施形態では、２分割柱体１１における弾性体６１により押圧される側の側部１５の内周側面２２が弾性体６１により外側に押される。一方、取り付け金具３１の凸部４１は、２分割柱体１１の凹部７２に係合している。従って、側部１５の内周側面２２側の部分は、弾性体６１と取り付け金具３１の凸部４１との間に挟み込まれる。又、側部１５の内周側面２１は、凹部７１に凸部５１が係合して側部１４の第一対向面１２側の部分が凸部４１との間に挟み込まれる。これにより２分割柱体１１を、容易に固定することができる。
【００４２】
このように取り付け金具３１と２分割柱体１１を形成することで、２分割柱体１１ａと２分割柱体１１ｂは、構造柱９１に取り付けることができる。しかし、取り付け金具の寸法誤差や弾性力のバラツキ、セメント系押出成形体の寸法誤差等の理由から、２分割柱体１１ａと２分割柱体１１ｂとの対向面における段差寸法Ｄ１（図２参照）を完全に無くすことが難しいという問題がある。段差寸法Ｄ１があると、化粧柱１の美観が損なわれるため、美観に影響を与えない範囲にＤ１を抑えることが求められる。
【００４３】
そこで本発明者は、段差寸法Ｄ１による美観の悪影響を無くすために、構造柱９１の外周面と２分割柱体１１における弾性体６１に押圧されない側部１４の内周側面２１との間に、所定間隔を保持させる間隔保持部を挿入することを検討した。これにより、構造柱９１の外周面と２分割柱体１１における弾性体６１に押圧されない内周側面２１との間隔が所定値以下にならないようにすることができる。しかし、その間隔保持部を、建築現場で、構造柱９１の外周面と重量物である２分割柱体１１の内周側面との間に挿入する作業は容易ではない。そこで本発明では、間隔保持部を化粧柱１の上下の何れか又は両方に挿入する固定プレートに設け、固定プレートを化粧柱１の上下の何れか又は両方に挿入することで、間隔保持部を構造柱９１の外周面と２分割柱体１１の内周側面との間に挿入できるように構成した。
【００４４】
図４は、図１（ｂ）に示した固定プレートの取付前の状態を示す平面図であり、図５は、図１（ｂ）に示した固定プレートの取付後の状態を示す平面図である。
【００４５】
固定プレート１０１は、内周側面１０２の形状が構造柱９１の外周形状と略同様で、その外周側面１０３の形状が、段差無く形成された化粧柱１を２等分割した断面の外周形状と同様に形成される。固定プレート１０１は、化粧柱１の上端又は下端の少なくとも一方と建造物との隙間に配置（挿入）される。その際に固定プレート１０１は、両２分割柱体１１ａ／１１ｂに半分ずつまたがって直交位置となるように、方形断面を有する構造柱９１にガイドされて挿入される。例えば、構造柱９１がプレハブ工法のＣ形鋼である場合は、その正方形断面の対向する２面の組のうち、両２分割柱体１１ａ／１１ｂに半分ずつまたがることになる方の組にガイドされて挿入される。尚、以後、構造柱９１の反対側から挿入される２枚の固定プレート１０１を、各々固定プレート１０１ａ、固定プレート１０１ｂとする。
【００４６】
間隔保持部１１０は、固定プレート１０１と接続する接続部１１１と、２分割柱体１１の側部１４の内周側面２１の内側への移動を抑止するストッパ１１２と、内周側面２１に接触する接触面１１３を備え、リベット１２１により固定プレート１０１上に固定される。この接続部１１１の構造柱９１側から接触面１１３までの寸法Ｌ３を本実施形態の所定間隔にする。
【００４７】
接続部１１１の内周側形状が構造柱９１の外周形状と同様である。間隔保持部１１０は、固定プレート１０１上において、構造柱９１における弾性体６１が配置されない面（弾性体６１が配置される面と対向する面）の外側と、２分割柱体１１における弾性体６１に押圧されない側部１４の内周側面２１との間に位置できるように配置され固定される。
【００４８】
これにより、弾性体６１と間隔保持部１１０は、構造柱９１における対向する面の外側に各々配置される。従って、２分割柱体１１の一方の側部１５には、弾性体６１により外側へ押す応力が働くが、２分割柱体１１の他方の側部１４の間隔が間隔保持部１１０により所定値以下にならないことにより、構造柱９１の外周面と他方の側部１４の内周側面２１との間隔を所定値に維持させることができる。
【００４９】
その場合、構造柱９１の外周面と一方の側部１４の内周側面２１との間隔は、２分割柱体１１の各側部１４／１５と構造柱９１の両側との間隔の和（Ｌ１−Ｌ２）から、他方側の間隔保持部１１０で確保された所定値を引いた残りである。従って、間隔保持部１１０の所定値と、両側間隔の和から所定値を引いた残りとを極力同じ値になるように近づけることで、２分割柱体１１を構造柱９１を挟んで取り付けた場合の外周面の段差を所定範囲内に抑制することができる。
【００５０】
本実施形態では、外周面の段差を所定範囲内に抑制するために、上記所定値が、例えば、構造柱９１の両側外周面と２分割柱体１１の内周の両側面２１、２２との間隔の和の略１／２になるように形成される。
【００５１】
より具体的には、例えば、２分割柱体１１における側部１４の内周側面２１と、側部１５の内周側面２２間の空洞部９５の空間距離寸法をＬ１とし、その空洞部９５に配置される構造柱９１のＬ１方向の寸法をＬ２とする。その場合に、間隔保持部１１０の所定値を、２分割柱体１１の各側部１４／１５と構造柱９１の両側間隔の和（Ｌ１−Ｌ２）の１／２にすることで、他方側の間隔保持部１１０で確保された所定値を引いた残りも、構造柱９１の両側間隔の和（Ｌ１−Ｌ２）の１／２にすることができ、両側間隔が同じになる。つまり、本実施形態では、構造柱９１に対して固定プレート１０１ｃと固定プレート１０１ｄを各々反対側から挿入することにより、構造柱９１と２分割柱体１１の側部１４／１５の内周側面２１／２２との間隔寸法を一定にすることができる。従って、間隔保持部１１０により、２分割柱体１１を構造柱９１を挟んで取り付けた場合の外周面の段差を無くすことができる。
【００５２】
間隔保持部１１０は、構造柱９１にガイドされる固定プレート１０１上に設けられることで、位置決めを容易にすることができる。その結果、２分割柱体１１の取付工数を減らすことができる。又、本実施態様では、固定プレート１０１を用いることで、化粧柱１の上下と建造物との間に隙間ができないようにすることができ、外観上の美観を向上させることができる。
【００５３】
このように本実施形態の化粧柱１の固定構造によれば、構造柱９１に穴を開けないで、２分割柱体１１の取り付け金具３１への位置決め及び固定を含む取り付け作業及び取り外し作業を少人数でも容易に実施することができ、さらに、固定プレート１０１を用いることでさらに堅固な固定も容易にでき、取り外しも容易にできる。又、２個の取り付け金具３１は、同一形状でアルミ押し出し成形等により製造可能であるので、材料及び工数コストの増加を少なくすることができる。
【００５４】
＜第２実施形態＞
図６は、本発明の第２実施形態の化粧柱の横断面図及び側面図である。
本実施形態の第１実施形態との主な相違点は以下の各点であり、相違点以外の構成、作用、及び効果は第１実施形態と同様である。
【００５５】
本実施形態では、対向配置される２枚の固定プレート１０１を、固定プレート１０１ｃ、固定プレート１０１ｄとする。また、本実施形態では、構造柱９１に対して固定プレート１０１ｃと固定プレート１０１ｄを各々反対側から挿入することにより、構造柱９１と２分割柱体１１の側部１４／１５の内周側面２１／２２との間隔寸法を一定にすることができる。
【００５６】
間隔保持部１１０ａは、固定プレート１０１と接続する接続部１１１ａと、２分割柱体１１の側部１４の内周側面２１の内側への移動を抑止するストッパ１１２ａと、内周側面２１に接触する接触面１１３ａを備える。
【００５７】
間隔保持部１１０ａは、固定プレート１０１上において、一方の２分割柱体１１における側部１４の内周側面２１と、他方の２分割柱体１１における側部１５の内周側面２２とを連続させ、ストッパ１１２ａの接触面１１３ａで固定することで、構造柱９１の外周面との間の間隔を一定にできる。従って、本実施形態では、２分割柱体１１における外周面の段差を、側部１４の側部１５との寸法の差のみに抑えることができる。
【００５８】
又、上記した各実施形態では、本発明の取り付け金具３１を軽量鉄骨住宅の玄関ポーチの角柱の構造柱９１に用いる場合について説明したが、本発明の技術的範囲は上記した実施の形態に記載された範囲には限定されるものではなく、例えば、木造住宅の任意箇所の角柱又は形状が円形の構造柱９１に対しても、取り付け金具３１及び固定プレート１０１の形状を変更することで適用することができる。
【符号の説明】
【００５９】
１  化粧柱、
１１、１１ａ、１１ｂ  ２分割柱体、
１２  第一対向面、
１３  第二対向面、
１４、１５  側部
２１  第一内周側面、
２２  第二内周側面、
３１  取り付け金具、
３２  固定用ネジ穴、
４１  凸部、
４１ａ  第１直線凸部、
４１ｂ  第２直線凸部、
４１ｃ  第３直線凸部、
４２  第１折れ曲がり凸部、
４３  第２折れ曲がり凸部、
５１  凸部、
６１  弾性体、
７１、７２  凹部、
７２ａ  第１直線凹部、
７２ｂ  第２直線凹部、
８１  固定用ネジ、
８２、８３  リベット、
９１  構造柱、
９５  空洞部、
１０１、１０１ａ、１０１ｂ、１０１ｃ、１０１ｄ  固定プレート、
１０２  内周側面、
１０３  外周側面、
１１０、１１０ａ  間隔保持部、
１１１、１１１ａ  接続部、
１１２、１１２ａ  ストッパ、
１１３、１１３ａ  接触面、
１２１  リベット
Ｄ１  段差寸法、
Ｌ１  ２分割柱体における両側部の内周側面間の空間距離寸法
Ｌ２  構造柱のＬ１方向の寸法
Ｌ３  間隔保持部で保持する所定間隔の寸法。
【図１】
2010196288.tif 000003
【図２】
2010196288.tif 000004
【図３】
2010196288.tif 000005
【図４】
2010196288.tif 000006
【図５】
2010196288.tif 000007
【図６】
2010196288.tif 000008